(57)【特許請求の範囲】
【請求項１】
電気操作機器の底部を、テ−ブルに固定された取付板に着脱可能に取付け固定できるようにした電気操作機器のテ−ブル取付ロック機構であって、
上記電気操作機器の底部には、孔部を形成して、その孔部よりロック爪を突出させるとともに、係合爪片を設けた嵌合突部を形成しており、
上記取付板には、上記ロック爪に対応させて、一方に緩やかな傾斜部を形成した係止突起でロック孔部とアンロック孔部に区画した長孔を形成するとともに、複数の嵌合凹所を上記係合爪片を設けた嵌合突部に対応させて形成しており、
上記ロック爪を上記取付板のアンロック孔部に嵌入させた状態で、上記電気操作機器を回動させたときには、上記ロック爪を上記ロック孔部に移動嵌入させるとともに、上記係合爪片を設けた嵌合突部を上記嵌合凹部に嵌合させることによって、上記底部を上記取付板に固定させる一方、上記ロック爪を弾性変形させ、上記電気操作機器を反対方向に回動させたときには、上記ロック爪を上記ロック孔部からアンロック孔部に移動嵌入させるとともに、上記係合爪片を設けた嵌合突部の上記嵌合凹部への嵌合を解除させることによって、上記電気操作機器の底部を上記取付板より取り外し可能としている、電気操作機器のテ−ブル取付ロック機構。
【請求項２】
請求項１において、上記ロック爪は、上記電気操作機器の周壁面の適所より突出させたピン操作部を一体成形しており、このピン操作を押圧操作することによって、上記ロック爪をアンロックさせるために弾性変形させる構造としている、電気操作機器のテ−ブル取付ロック機構。
【請求項３】
請求項１において、
上記取付板は、両面テ−プやネジ止めなどによって、テ−ブルに取り付けられている電気操作機器のテ−ブル取付ロック機構。
【請求項４】
請求項１において、
上記長孔の係止突起は、弾性変形したロック爪がアンロック孔部からロック孔部に嵌入されるときに、適度のロック音が鳴る程度の傾斜部を形成したものである、電気操作機器のテ−ブル取付ロック機構。
【請求項５】
請求項１〜４のいずれかにおいて、
上記電気操作機器が、ワイレスコ−ルシステムに使用される個別発信器である電気操作機器のテ−ブル取付ロック機構。
【発明の詳細な説明】
【０００１】
【発明の属する技術分野】
本発明は、電気操作機器の底部を、テ−ブルに固定された取付板に着脱可能に取付け固定できるようにした電気操作機器のテ−ブル取付ロック機構に関する。
【０００２】
【従来の技術】
従来、電気操作機器の底部を、テーブルに着脱自在に取付け固定する機構として、例えば、図１２，図１３に示すものがある。
これは、テーブルａに着脱自在に取付け固定する取付具ｂの上面に、電気操作機器ｃを両面貼着テープあるいはネジ止めによって取付け固定するようにしていた。
【０００３】
この取付具ｂを用いてテーブルａに電気操作機器ｃを取付け固定するには、テーブルａの下面に、側面視Ｌ字形の基部板ｄに取付けられた下面当て部ｅを当接した後、上下移動用長孔ｆを有する側面視逆Ｌ字形の当て板ｇを、長孔ｆに挿入されたねじｈを緩めて下側に移動させ、この当て板ｇの上面当て部ｉがテーブルａの上面に押し当てられた後に、ねじｈを締めてテーブルａに取付具ｂを取付け固定し、その後、この取付具ｂの当て板ｇの上面当て部ｉの上面に両面貼着テープを貼着し、更に電気操作機器ｃの下面を貼着することによって、取付具ｂを介して電気操作機器ｃをテーブルａに取付け固定するようにしていた。
【０００４】
あるいは、予め取付具ｂの当て板ｇの上面に取付ねじによって電気操作機器ｃを取付け固定した後に、この取付具ｂをテーブルａに取付け固定するようにしていた。
【０００５】
【発明が解決しようとする課題】
ところが、上記従来の取付け方法では、取付具ｂを必要とするので、電気操作機器ｃのみでテーブルａに取付け固定することができないという問題があった。更に、取付具ｂをテーブルａに取付ける作業が面倒であり、しかも、ねじｈを緩めて基部板ｄに対して当て板ｇを上側に移動するだけで、テーブルａから取付具ｂを簡単に取り外すことができるので、取付具ｂによってテーブルａに取付け固定されている電気操作機器ｃを簡単に取り外して取り去られてしまうという問題があった。
【０００６】
また、電気操作機器ｃの裏側に電池を取付け交換する場合には、取付具ｂの当て板ｇに両面貼着テープあるいは取付ねじによって固定されている電気操作機器ｃを取付具ｂの当て板ｇから取り外す必要があるので、この電池交換作業が困難であるという問題があった。
本発明は、上記従来の問題に鑑みてなされたものであって、テ−ブルに固定された取付板に電気操作機器を容易に取付け固定でき、しかも、取付け固定された電気操作機器を悪戯等によって容易に取付板から取り外すことができず安全であり、電池交換等のメンテナンスを行うときには当業者が電気操作機器を取付板から簡単に取り外すことができてこのメンテナンスを容易に行うことができ、更に取付板への電気操作機器の取付けロック状態をロック音の発生によって容易に確認できる電気操作機器のテ−ブル取付ロック機構を提供することを目的としている。
【０００７】
【課題を解決するための手段】
本発明は、上記目的を達成するために提案されたものであって、請求項１の電気操作機器のテ−ブル取付ロック機構は、電気操作機器の底部を、テ−ブルに固定された取付板に着脱可能に取付け固定できるようにした電気操作機器のテ−ブル取付ロック機構であって、
上記電気操作機器の底部には、孔部を形成して、その孔部よりロック爪を突出させるとともに、係合爪片を設けた嵌合突部を形成しており、
上記取付板には、上記ロック爪に対応させて、一方に緩やかな傾斜部を形成した係止突起でロック孔部とアンロック孔部に区画した長孔を形成するとともに、複数の嵌合凹所を上記係合爪片を設けた嵌合突部に対応させて形成しており、
上記ロック爪を上記取付板のアンロック孔部に嵌入させた状態で、上記電気操作機器を回動させたときには、上記ロック爪を上記ロック孔部に移動嵌入させるとともに、上記係合爪片を設けた嵌合突部を上記嵌合凹部に嵌合させることによって、上記底部を上記取付板に固定させる一方、上記ロック爪を弾性変形させ、上記電気操作機器を反対方向に回動させたときには、上記ロック爪を上記ロック孔部からアンロック孔部に移動嵌入させるとともに、上記係合爪片を設けた嵌合突部の上記嵌合凹部への嵌合を解除させることによって、上記電気操作機器の底部を上記取付板より取り外し可能としている、電気操作機器のテ−ブル取付ロック機構。
【０００８】
請求項２の電気操作機器のテ−ブル取付ロック機構は、請求項１において、上記ロック爪は、上記電気操作機器の底部に収容され、電気操作機器の周壁面の適所に突出させたピン操作部を一体成形しており、このピン操作を押圧操作することによって、上記ロック爪をアンロック方向に弾性変形させる構造としている。
【０００９】
請求項３の電気操作機器のテ−ブル取付ロック機構は、請求項１において、上記取付板は、両面テ−プやネジ止めなどによって、テ−ブルに取り付けられたものである。請求項４の電気操作機器のテ−ブル取付ロック機構は、請求項１において、上記長孔の係止突起には、弾性変形したロック爪がアンロック孔部からロック孔部に嵌入されるときに、適度のロック音が鳴る程度の傾斜部を形成している。
【００１０】
請求項５の電気操作機器のテ−ブル取付ロック機構は、上記電気操作機器が、ワイレスコ−ルシステムに使用される個別発信器である。
【００１１】
【発明の実施の形態】
以下、本発明に係る電気操作機器のテ−ブル取付ロック機構の実施の形態について、図面を参照しつつ説明する。
図１は本発明に係る電気操作機器のテ−ブル取付ロック機構を備えた電気操作機器と取付板の分解斜視図、図２は電気操作機器と取付板の組立て完了直前の斜視図、図３は電気操作機器のテ−ブル取付ロック機構の要部の部分斜視図、図４は電気操作機器のテ−ブル取付ロック機構のアンロック状態の要部の部分底面図、図５は電気操作機器のテ−ブル取付ロック機構のロック状態の要部の部分底面図、図６は取付板と電気操作機器の底部との嵌合前の要部の部分斜視図、図７は取付板と電気操作機器の底部との嵌合時の要部の部分斜視図、図８は電気操作機器の押し操作によって表示されるワイヤレスコール受信器の分解斜視図、図９はワイヤレスコール受信器の組み付け完了時の斜視図、図１０はワイヤレスコール受信器の表示状態を示す正面図、図１１はワイヤレスコール受信器の内部構造を示す概略分解縦断面図である。
【００１２】
図１において、符号１は取付板であって、この取付板１は両面貼着テープ（図示略）あるいはねじ２でテーブル（図示略）に取付け固定される。符号３は電気操作機器４の底部であって、取付板１に着脱自在に取付け固定されるようになっている。符号５はロック爪であって、電気操作機器４の底部３の所定の箇所に嵌入されるものであり、基部５ｅから下方に向けて突出した爪部５ａを有し、更に基部５ｅの側方には弾性変形可能な支持片５ｂが一体に設けられ、基部５ｅの前面にピン操作部５ｃが一体成形されている。
【００１３】
符号６は連設片６ａで連設された上下２枚の回路基板６ｂ，６ｃからなる回路部であって、上部の回路基板６ｂの上面に入力用のスイッチ６ｄが突出した状態で設けられている。
符号７は本体カバーであって、上面壁部７ａに開口部７ｂが形成され、上記スイッチ６ｄが上側から臨まれるようになっており、周縁近傍箇所には２箇所の取付け固定用の下向き筒状部７ｃが下向きに突設され、これら下向き筒状部７ｃに、上記底部３における対応箇所に開設されたボルト孔３ｇに下側から挿入される長ねじ９が螺入されることによって本体カバー７が底部３に取付け固定されるようになっている。
【００１４】
符号８はドーム状のスイッチカバーであって、上部の中央部に指で押すことによって上記スイッチ６ｄをオン・オフするためのスイッチ押釦８ａが設けられている。
そして、電気操作機器４の底部３には孔部３ａが形成され、その孔部３ａより上記ロック爪５の爪部５ａが突出されるとともに、取付板１の適所には、一方に穏やかな傾斜部１ａを形成した係止突起１ｂが形成され、ロック孔部１ｃとアンロック孔部１ｄに分割された長孔１ｅが形成されている。更に、取付板１には、三方縁部に嵌合凹部１ｆが形成され一方側が開口した隆起片１ｇが突出形成され、電気操作機器４の底部３には、上記嵌合凹部１ｆに対応する三方箇所に嵌合凹部１ｆと嵌合させるための係合爪片３ｂを設けた嵌合突部３ｃが内向きに突設されている。
【００１５】
また、電気操作機器４の底部３には、ロック爪５の基部５ｅを周壁３ｂとの間で挟持する挟持柱３ｄが上向きに突出されているとともに、周壁３ｂの内周面の適所には、ロック爪５の支持片５ｂの背面が当接される２つの突条３ｅが内向きに突設され、更に、ロック爪５の支持片５ｂを内部側で係合保持するための係合爪付き係合部３ｆが上向きに突設されている。
【００１６】
取付板１の上記長孔１ｅの係止突起１ｂには、弾性変形したロック爪５がアンロック孔部１ｄからロック孔部１ｃに嵌入されるときに、適度のロック音が鳴る程度の傾斜部１ａが形成されている。
そして、本実施の形態における電気操作機器４は、図８〜図１１に示すワイヤレスコール受信器１０を含むワイヤレスコールシステムに使用される個別発信器として使用されるものである。
【００１７】
次に、取付板１と電気操作機器４の組み付け・取付け固定手順について説明する。
取付板１をテーブル（図示略）の上面に、両面貼着テープあるいはねじ２で取付け固定し、電気操作機器４の底部３の適所にロック爪５を、その爪部５ａが孔部３ａから下向きに突出するようにして配設し、更に、底部３の略中央部に上下２枚の回路基板６ｂ，６ｃからなる回路部６を配設した後、上部側から本体カバー７を底部３に被せ、本体カバー７の下向き筒状部７ｃに、上記底部３における対応箇所に開設されたボルト孔３ｇに下側から挿入される長ねじ９を螺入することによって本体カバー７を底部３に取付け固定する。
【００１８】
この状態で、電気操作機器４の底部３を取付板１に取付け固定する。即ち、底部３に配設されたロック爪５の爪部５ａを取付板１の長孔１ｅのアンロック孔部１ｄに嵌入させた状態で、電気操作機器４を回動させ、ロック爪５の爪部５ａを取付板１の長孔１ｅのアンロック孔部１ｄから係止突起１ｂを乗り越えさせてロック孔部１ｃに嵌入させるとともに、取付板１の三方箇所の嵌合凹部１ｆに底部３の嵌合突部３ｃの係合爪片３ｂを嵌合させることによって、図２に示すように、電気操作機器４を取付板１に固定させる。ここで、ロック爪５の爪部５ａを取付板１の長孔１ｅのアンロック孔部１ｄから係止突起１ｂを乗り越えさせてロック孔部１ｃに嵌入させるときに、適度のロック音が鳴るので、このロック音を聞くことによって固定状態を確認することができる。また、この固定状態で、ロック爪５のピン操作部５ｃが、底部３の周壁上縁と本体カバー７の周壁下縁に形成され、固定状態で同位置にある外向き開口部３ｊ，７ｊに嵌入された状態となり、このピン操作部５ｃが外向き開口部３ｊ，７ｊに外側から臨まれる状態となっている。
【００１９】
したがって、このピン操作部５ｃを外側から先端部が細い工具で内向きに押すと、ロック爪５の爪部５ａが取付板１の長孔１ｅのロック孔部１ｃを内向きに移動してロック状態が解除されるので、この状態で電気操作機器４を反対向きに回動させることによって、ロック爪５の爪部５ａが取付板１の長孔１ｅのロック孔部１ｃからアンロック孔部１ｄに移動するとともに、取付板１の嵌合凹部１ｆと底部３の嵌合突部３ｃの係合爪部３ｂとの嵌合状態が解除されて、取付板１から電気操作機器４を取り外すことができる。
【００２０】
更に、図２に示すように、電気操作機器４を取付板１に取付け固定した状態で、本体カバー７の上部にドーム状のスイッチカバー８を被せ、スイッチ押釦８ａを指で押すと、スイッチ６ｄがオンされて、図８〜図１１に示すワイヤレスコール受信器１０に電気操作機器４を取付けたテーブルの番号等が点灯表示される。次に、図８〜図１１を参照しつつ、ワイヤレスコール受信器１０について説明する。
【００２１】
このワイヤレスコール受信器１０は、図８，図１１に示すように、ベース１１と、このベース１１内に取付けされる回路基板１２と、回路基板１２の前面に配設される表カバー１３と、この表カバー１３の前面に配設される光拡散フィルム１４と、複数の７セグメント透明部１６ａを有する表面黒塗りで裏面白塗りのアクリル板１６とから構成されている。
【００２２】
回路基板１２には、複数の７セグメントを発光表示するためのＬＥＤチップ１７が複数面実装されており、表カバー１３には、複数の７セグメント透光部１３ａが設けられ、更にこの表カバー１３には、光拡散フィルム１４とアクリル板１６を取付け配置するための凹み部１３ｂが形成されている。
また、表カバー１３には、個別発信器として使用される電気操作機器４からの発信信号を受信するためのアンテナ１８が左右一対設けられている。
【００２３】
表カバー１３は、回路基板１２を取付けたベース１１にねじ（図示略）で取付け固定され、更に、光拡散フィルム１４とアクリル板１６とは表カバー１３の凹み部１３ａに嵌入された状態でねじ止めされるようになっている。
個別発信器として使用される電気操作機器４のスイッチ押釦８ａが指で押され、スイッチ６ｄがオンされると、回路基板１２の所定の７セグメントのＬＥＤチップ１７が点灯され、光拡散フィルム１４で光拡散されて、図１０に示すように、電気操作機器４が取付けられた所定とテーブルの番号が点灯表示されるようになっている。
【００２４】
本実施の形態における電気操作機器４とワイヤレスコール受信器１０は、レストラン等で好適に使用され、ワイヤレスコール受信器１０を管理室等に配置し、電気操作機器４をレストラン内の各テーブルに取付け固定することによって、所定のテーブルの電気操作機器４のスイッチをオンすると、ワイヤレスコール受信器１０に上記所定のテーブルの番号が表示され、店員等がその所定の番号のテーブルに出向いて食事の注文等を受けることができるようになっている。
【００２５】
【発明の効果】
以上説明したように、請求項１の電気操作機器のテ−ブル取付ロック機構によれば、電気操作機器の底部を、取付板に合致させ、ロック爪を取付板の長孔のアンロック孔部に嵌入させ、そのままの状態で電気操作機器を回動させることによって、ロック爪が長孔の係止突起を越えてロック孔部に嵌入することによって、テーブルに固定された取付板に電気操作機器を取付け固定できるので、簡単な施錠操作で取付け固定することができ、しかもロック孔部では、ロック爪が回動不能な状態となり、取付板から容易に取り外すことができず、ロックできるので、悪戯等によって電気操作機器を取り外し取り去ることができず、安全である。
【００２６】
また、解錠操作は、電気操作機器を反対方向に回転させながら、ロック爪を弾性変形させることによって、ロック爪は、長孔の係止突起を越えて、アンロック孔部に嵌入し、取付板から取り外しができる。更に、ロック爪をロック孔部へ嵌入させているだけでなく、取付板の嵌合凹所に電気操作機器の底部の係合爪片を嵌入しているので、電気操作機器を上方向に引っ張り上げても、取付板より電気操作機器を取り外しができないので、悪戯などによって電気操作機器が取り去られることがない。
【００２７】
請求項２の電気操作機器のテ−ブル取付ロック機構によれば、電気操作機器の外周面に設けたピン操作部を、ドライバーの先や、ピン先で押圧操作するだけで、ロック爪を弾性変形させてロックを解錠できるので、当業者がメンテナンスを容易に行うことができ、しかも、ピン操作部がリセットスイッチのように外部から目立たないので、悪戯等によって電気操作機器が取り去られるようなことがない。
【００２８】
請求項３の電気操作機器のテ−ブル取付ロック機構によれば、取付板が、両面貼着テープやネジ止めなどによって、テーブルに取付けられているので、取付板のテーブルへの取付けを簡単に行うことができ、かつ取付けた後には、取付板を容易に取り外すことができないので安全である。請求項４の電気操作機器のテ−ブル取付ロック機構によれば、ロック爪がアンロック孔部から係止突起を乗り越えてロック孔部に嵌入したときに、カチッというロック音が出るので、ロックの確認が容易にできる。
【００２９】
請求項５の電気操作機器のテ−ブル取付ロック機構によれば、電気操作機器が、ワイヤレスコールシステムに使用される個別発信器であるので、電気操作機器をレストラン等に設置された各テーブルに取付け固定することによって、この電気操作機器を操作してテーブル側の客から店員等を呼び出し食事の注文などを容易且つ正確に伝えることができる。
【図面の簡単な説明】
【図１】本発明に係る電気操作機器のテ−ブル取付ロック機構を備えた電気操作機器と取付板の分解斜視図である。
【図２】電気操作機器と取付板の組立て完了直前の斜視図である。
【図３】電気操作機器のテ−ブル取付ロック機構の要部の部分斜視図である。
【図４】電気操作機器のテ−ブル取付ロック機構のアンロック状態の要部の部分底面図である。
【図５】電気操作機器のテ−ブル取付ロック機構のロック状態の要部の部分底面図である。
【図６】取付板と電気操作機器の底部との嵌合前の要部の部分斜視図である。
【図７】取付板と電気操作機器の底部との嵌合時の要部の部分斜視図である。
【図８】電気操作機器の押し操作によって表示されるワイヤレスコール受信器の分解斜視図である。
【図９】ワイヤレスコール受信器の組み付け完了時の斜視図である。
【図１０】ワイヤレスコール受信器の表示状態を示す正面図である。
【図１１】ワイヤレスコール受信器の内部構造を示す概略分解縦断面図である。
【図１２】従来の電気操作機器のテ−ブル取付機構を備えた電気操作機器と取付具の斜視図である。
【図１３】従来の電気操作機器のテ−ブル取付機構の取付具の拡大斜視図である。
【符号の説明】
１          取付板
１ａ        傾斜部
１ｂ        係止突起
１ｃ        ロック孔部
１ｄ        アンロック孔部
１ｅ        長孔
１ｆ        嵌合凹所
２          ねじ
３          底部
３ａ        孔部
３ｂ        係合爪片
３ｃ        嵌合突部
４          電気操作機器
５          ロック爪
５ｃ        ピン操作部
【図１】
0003575162.tif 000002
【図２】
0003575162.tif 000003
【図３】
0003575162.tif 000004
【図４】
0003575162.tif 000005
【図５】
0003575162.tif 000006
【図６】
0003575162.tif 000007
【図７】
0003575162.tif 000008
【図８】
0003575162.tif 000009
【図９】
0003575162.tif 000010
【図１０】
0003575162.tif 000011
【図１１】
0003575162.tif 000012
【図１２】
0003575162.tif 000013
【図１３】
0003575162.tif 000014